(57)【特許請求の範囲】
【請求項１】
地中深くまで延びる深基礎の内側面側に、該深基礎より浅い位置まで延び下端部にフーチングが設けられてなる間仕切り基礎を、その一端側に下垂して設けられたコーナ連結部を介して接合する基礎の施工方法において、
地盤に凹部を形成して該凹部内に上記深基礎用の型枠を設置する一方、上記凹部より屋内側の浅い地盤上に上記間仕切り基礎のフーチング用の型枠を設置し、上記コーナ連結部用のコーナ型枠を上記深基礎用の型枠の屋内側に接続するとともに、上方が開いた断面コ字型の架設用型枠をその一端を上記コーナ型枠に他端を上記間仕切り基礎のフーチング用の型枠にそれぞれ接続することで上記凹部上に架設し、上記コーナ型枠、上記架設用型枠、及び上記間仕切り基礎のフーチング用の型枠の上に上記間仕切り基礎用の型枠を設置した後、上記各型枠内にコンクリートを打設することを特徴とする基礎の施工方法。
【請求項２】
上記凹部の底部から支持棒を立設し、該支持棒で上記架設用型枠を下方から支持することを特徴とする請求項１記載の基礎の施工方法。
【発明の詳細な説明】
【０００１】
【産業上の利用分野】
本発明は、住宅等の建物の基礎の施工方法、より詳しくは、建物外周において地中深くまで延びる深基礎と、該深基礎より浅い位置まで延びる間仕切り基礎とを有する基礎の施工方法に関するものである。
【０００２】
【従来の技術】
図７に従来の基礎構造を示す。建物外周の深基礎１は、例えば、下端部における広幅のフーチング１ａの上面までの高さＨが1800mm程度と地中深くまで延びており、この深基礎１の内側面側に、深基礎１より浅い位置まで延びる間仕切り基礎２が深基礎１と直交するように接合されている。間仕切り基礎２の下端部には、断面略半円状で凸部２ａと凹部２ｂを交互に有するフーチング２ｃが設けられるとともに、深基礎１との接合部において、間仕切り基礎２から同一厚さで深基礎１のフーチング１ａに向かって下垂するコーナ連結部２ｄが設けられている。
【０００３】
図８に上記基礎を施工するための型枠の組立状態を示す。地盤を掘削してなる凹部３内に深基礎１用の内外１対の鋼製型枠４が配設されて鉄筋ベース５上に載置されるとともに、両鋼製型枠４間に鉄筋６が配置されている。鋼製型枠４は、縦バタ材７で支持されるとともに、凹部３との間に設置された金属製または木製の支持部材８ａ、８ｂにより支持され、且つ鋼製型枠４の下方には、フーチング１ａ用の内外１対の型枠９（コンクリート用型枠合板等）が配置されている。
【０００４】
内側の鋼製型枠４には、間仕切り基礎２に対応する位置で鋼製型枠４と直交して屋内側へ折曲する左右１対の折曲部４ａ（図８では片側のみ図示）が形成され、これら折曲部４ａの略下半部に隣接して、折曲部４ａと平行に上下方向へ延びる左右１対の鋼製のコーナ型枠１０が配置されて、金具１１等により折曲部４ａに連結されている。
【０００５】
また、これらコーナ型枠１０の内方端に隣接させて、コンクリート用型枠合板（以下、コンパネという）またはＥＰＳブロック等からなる仕切り材１２が鋼製型枠４と平行に配置され、鋼製型枠４と仕切り材１２との間に木製等の支持部材１３が介設されている。
【０００６】
仕切り材１２の内方で、凹部３が埋め戻し土１４により埋め戻され、更に、埋め戻し土１４上に砕石１５（クラッシャラン）が敷設されている。そして、砕石１５上に、フーチング２ａ用の左右１対の樹脂製等の型枠１６が設置されるとともに、これら型枠１６及び前記コーナ型枠１０上に間仕切り基礎２用の左右１対の鋼製型枠１７が設置され、鋼製型枠１７の外方端は前記折曲部４ａに連結されている。
【０００７】
【発明が解決しようとする課題】
ところが、上記のような型枠を用いた基礎の施工方法では、型枠１６及び鋼製型枠１７を設置するために、コーナ型枠１０及び仕切り材１２の周辺で凹部３を埋め戻し土１４で埋め戻すようにしているので、上記の埋め戻しを行った後、基礎の施工前または施工後に、鋼製型枠４より内側の凹部３内で作業をしている作業者が、間仕切り基礎２の一方側から他方側へ移動する場合、凹部３を通って移動することができず、一旦、凹部３の上方の地盤１８上に登った後、更に、間仕切り基礎２用の鋼製型枠１７または施工済の間仕切り基礎２を乗り越えて移動する必要があり、移動が面倒であった。
【０００８】
また、上記埋め戻し土１４の土圧が、仕切り材１２から支持部材１３を介して深基礎１用の鋼製型枠４に加わるため、鋼製型枠４は上記の土圧に耐え得るように強固に固定する必要があり、鋼製型枠４の固定にも手間が掛かる問題を有していた。
【０００９】
更に、仕切り材１２はコンパネまたはＥＰＳブロック等を工事現場で適宜に調達し、必要により、これを所定サイズに加工した上で使用しているので、コーナ連結部２ｄの周囲の型枠を組み上げるのに手間と時間を要する問題があった。
【００１０】
【課題を解決するための手段】
本発明は前記の課題を解決して、間仕切り基礎（または間仕切り基礎用の型枠）の一方側から他方側への移動を容易に行える基礎の施工方法を提供することを目的としている。
そのため、本発明の請求項１の基礎の施工方法は、地中深くまで延びる深基礎の内側面側に、該深基礎より浅い位置まで延び下端部にフーチングが設けられてなる間仕切り基礎を、その一端側に下垂して設けられたコーナ連結部を介して接合する基礎の施工方法において、地盤に凹部を形成して該凹部内に上記深基礎用の型枠を設置する一方、上記凹部より屋内側の浅い地盤上に上記間仕切り基礎のフーチング用の型枠を設置し、上記コーナ連結部用のコーナ型枠を上記深基礎用の型枠の屋内側に接続するとともに、上方が開いた断面コ字型の架設用型枠をその一端を上記コーナ型枠に他端を上記間仕切り基礎のフーチング用の型枠にそれぞれ接続することで上記凹部上に架設し、上記コーナ型枠、上記架設用型枠、及び上記間仕切り基礎のフーチング用の型枠の上に上記間仕切り基礎用の型枠を設置した後、上記各型枠内にコンクリートを打設するようにしたことを特徴とするものである。
【００１１】
請求項２の基礎の施工方法は、請求項１の方法において、上記凹部の底部から支持棒を立設し、該支持棒で上記架設用型枠を下方から支持するようにしたことを特徴とするものである。
【００１２】
【発明の実施の形態】
以下、本発明の実施の形態を図面に基づいて説明する。まず、図１に本実施の形態における基礎構造を示すが、図７の従来例と共通する部分には同一の参照番号を付して重複した説明を省略する。図７の従来例では間仕切り基礎２のコーナ連結部２ｄに隣接する位置までフーチング２ｃを設けていたのに対し、本実施の形態では、コーナ連結部２ｄの近傍にはフーチング２ｃを設けず、その代わりに、コーナ連結部２ｄの上部とフーチング２ｃ間のフーチング２ｃと同一高さ範囲に、間仕切り基礎２本体と同一厚みを有する下方延長部２ｅを設けている。なお、フーチング２ｃの代わりに下方延長部２ｅを設けた部位の間仕切り基礎２は、強度が若干低くなる傾向があるため、住宅本体の建築に際して、この下方延長部２ｅの上方の間仕切り基礎２上には、柱を設けないことが好ましい。
【００１３】
次に、図２に本実施の形態の基礎を施工するための型枠の組立状態を示す。ここでも、図８の従来の型枠と同一部分には同一参照番号を付して重複した説明を省略する。本実施の形態では、間仕切り基礎２のフーチング２ｃ用の樹脂製等の型枠１６が短めに形成され、型枠１６の外方端は、凹部３と該凹部３より浅く略平坦な地盤１８との境界部付近に位置している。
【００１４】
また、本実施の形態では、上記コーナ連結部２ｄを施工するために、従来のコーナ型枠１０及び仕切り材１２に代えて、左右１対の鋼製のコーナ型枠２０（図２では左側のみ図示）が用いられるとともに、コーナ型枠２０の上部と型枠１６との間の型枠１６と略同一高さ範囲に、上記下方延長部２ｅを施工するための鋼製の架設用型枠２１が配設されている。上記コーナ型枠２０と架設用型枠２１とで間仕切り基礎通り抜け用型枠２２を構成している。
【００１５】
図３に間仕切り基礎通り抜け用型枠２２の組立状態での斜視図を、また、図４に左側のコーナ型枠２０の斜視図を示す。このコーナ型枠２０は垂直方向に延びる本体２０ａと、本体２０ａの上端部を除く部位に一体に設けられて本体２０ａの一端（住宅の内方端）から本体２０ａと直交する方向へ延びる横断壁２０ｂとを備えている。
【００１６】
横断壁２０ｂは、本体２０ａの略下半部に位置する垂直部２０ｃと、垂直部２０ｃの上端から斜め方向へ延びる傾斜部２０ｄとからなり、垂直部２０ｃの先端には、本体２０ａと平行な方向へ折曲されたフランジ２０ｅが一体に形成されている。傾斜部２０ｄより上方の、本体２０ａの上端部に対応する部位は開放されている。
【００１７】
また、右側のコーナ型枠２０は上記左側のコーナ型枠２０と左右対称に構成されており、図３に示すように、左右１対のコーナ型枠２０の本体２０ａ同士を上記コーナ連結部２ｄの厚みに対応した間隔を隔てて互いに平行に配置するとともに、横断壁２０ｂを対向するコーナ型枠２０側に延びるように配置してフランジ２０ｅ同士を突き合わせ、両フランジ２０ｅを金具１１等で連結している。
【００１８】
上記架設用型枠２１は、左右１対の側板２３と底板２４とを有する。図５に左側の側板２３を示すように、この側板２３は本体２３ａと、本体２３ａの一端から外側方へ垂直に折れ曲がる折曲部２３ｂとからなる。折曲部２３ｂの上下幅は本体２３ａの上下幅より大きく、折曲部２３ｂは本体２３ａより下方まで延びている。右側の側板２３は左側の側板２３と左右対称に構成されている。
【００１９】
底板２４は図６に示すように、平板状の本体２４ａの略中央にボルト挿通用の孔２４ｂが設けられるとともに、本体２４ａの周囲に下向きの折曲部２４ｃ乃至２４ｅ及び上向きの折曲部２４ｆが形成されている。また、凹部３との間で底板２４を支持する支持棒２５は、ボルト２６と、筒状連結棒２７と、下端支持棒２８とからなり、筒状連結棒２７の下端部には大径の嵌合部２７ａが形成されるとともに、下端支持棒２８の下端部には基板２８ａが一体的に設けられている。
【００２０】
上記左右１対の側板２３は、左右１対のコーナ型枠２０と本体２０ａ、２３ａ同士が連続して同一面を成すように配置され、コーナ型枠２０の上部に側板２３の他端（住宅の外方端）が金具１１等で接続される。また、側板２３の上記一端の折曲部２３ｂは、架設用型枠２１より横幅の広いフーチング２ｃ用の型枠１６の端部に接合される。
【００２１】
底板２４は両側板２３の下端間で水平方向に配置され、両側板２３と底板２４とで全体として上方が開いた断面略コ字型の型枠を構成している。上記底板２４は、その下方の凹部３の底部から略垂直上方へ延びる支持棒２５により支持される。すなわち、ボルト２６の上端部を孔２４ｂに挿通して、本体２４ａの上部及び下部で各々ナット３０を螺合することにより、ボルト２６の上端部が底板２４に固定される。
【００２２】
また、ナット３０の下方でボルト２６に上下位置調整用のナット３１を螺合した上でボルト２６の下部を筒状連結棒２７の上端部に嵌合すると、ナット３１が筒状連結棒２７の上端面に当接することにより、上下位置が定まり、ボルト２６が筒状連結棒２７により支持される。そして、上記嵌合部２７ａを下端支持棒２８の上端部に嵌合し、基板２８ａを含む下端支持棒２８の下部を凹部３の底部で地中に埋設することにより、底板２４を支持棒２５を介して凹部３の底部で支持させている。なお、下端支持棒２８の下部を凹部３の底部表面に固定するようにしてもよい。
【００２３】
上記の構成を有する型枠を用いて基礎の施工を行う場合、まず、地盤に深い凹部３を形成して、この凹部３内に深基礎１用の鋼製型枠４及びフーチング１ａ用の型枠９を設置する。また、凹部３より屋内側に位置し、凹部３より浅い地盤１８上に砕石１５（クラッシャラン）を敷設し、この砕石１５上に間仕切り基礎２のフーチング２ｃ用の型枠１６を設置する。
【００２４】
また、鋼製型枠４の折曲部４ａに左右１対のコーナ型枠２０を接続するとともに、これらコーナ型枠２０に左右１対の側板２３を接続し、側板２３の折曲部２３ｂを型枠１６の端部に接合する。そして、上記のように、両側板２３の下端間に底板２４を水平に配置して、底板２４の下方の凹部３から略垂直上方に延びる支持棒２５により上記底板２４を支持する。
【００２５】
また、型枠１６に隣接する凹部３の上端部付近に、型枠１６と架設用型枠２１の境界位置に合わせて、型枠１６の下端から凹部３に向けて略垂直方向に延びる仕切り材３２（コンパネまたはＥＰＳブロック等）を配置する。仕切り材３２の上端部は、側板２３の折曲部２３ｂ及び底板２４の折曲部２４ｃに当接させる。
【００２６】
そして、コーナ型枠２０、架設用型枠２１及び型枠１６上に、間仕切り基礎２用の鋼製型枠１７を設置し、側板２３の上端と鋼製型枠１７の下端とをクランプ部材３３で固定する。このようにして本実施の形態では、間仕切り基礎２用の鋼製型枠１７における深基礎１用の鋼製型枠４との接合部近傍１７ａ及びその下方に位置する架設用型枠２１を凹部３上に架設した状態とする。
【００２７】
その後、仕切り材３２と砕石１５との間の隙間３４に生コンクリートを注入するとともに各型枠内に生コンクリートを打設し、所定期間養生した後、底板２４を除く各型枠を取り外すことにより、基礎の施工を終了する。なお、上記フーチング１ａ、２ｃを含む深基礎１及び間仕切り基礎２の下部を埋め戻す際に、底板２４及び支持棒２５は地中に埋め殺しにして使用する。
【００２８】
上記の施工方法によれば、間仕切り基礎２の鋼製型枠１７の深基礎１用の鋼製型枠４との接合部近傍１７ａ及びその下方の架設用型枠２１を凹部３上に架設した状態で各型枠内へのコンクリートの打設を行うようにし、基礎の施工の段階では凹部３の埋め戻しを行わないようにしたので、基礎の施工前または基礎の施工後の埋め戻し前に、鋼製型枠４より屋内側の凹部３内で作業をしている作業者は、架設用型枠２１の下方または施工済の間仕切り基礎２の下方延長部２ｅの下方を容易に通り抜けることができ、且つ架設用型枠２１または下方延長部２ｅの下方を通して各種部材の運搬を行うことができるので、作業性は良好である。
【００２９】
また、基礎の施工時には凹部３の埋め戻しを行わないので、従来のように埋め戻し土の土圧が深基礎１用の鋼製型枠４に作用することがなく、鋼製型枠４の固定作業も比較的容易に行える。更に、コーナ連結部２ｄを施工するためのコーナ型枠２０に横断壁２０ｂを一体に設けて、左右１対のコーナ型枠２０のみでコーナ連結部２ｄの施工を行えるようにしたので、従来のように、コンパネ等からなる仕切り材１２（図８参照）を使用する必要がなくなり、型枠の組立作業が容易になる。
【００３０】
なお、両側板２３を省略して、接合部近傍１７ａにおける左右１対の鋼製型枠１７の下端位置に底板２４を配置してコンクリートの打設を行うことも可能であるが、本実施の形態のように、鋼製型枠１７の下方に、左右１対の側板２３を介して底板２４を配置すると、完成した間仕切り基礎２において、コーナ連結部２ｄの上部とフーチング２ｃとを下方延長部２ｅにより連結することができ、強度上好ましいものである。また、接合部近傍１７ａにおいては、フーチング２ｃを設けず、間仕切り基礎２本体と同一厚みの下方延長部２ｅを設けるようにしたので、基礎の施工時に底板２４より支持するコンクリートの量が過度に多くなることもないが、下方延長部２ｅの厚みを間仕切り基礎２本体の厚みと同一とすることは必須ではない。
【００３１】
また、上記実施の形態では、底板２４及び支持棒２５を埋め殺すようにしたが、支持棒２５の上端部、ここではボルト２６の上端部が底板２４の上部に突出しない構造のものであれば、基礎の施工後に充分な養生期間を置き、底板２４及び支持棒２５を取り外して再使用するようにしてもよい。
【００３２】
更に、１対のコーナ型枠２０としては、左右対称のものを用いたが、例えば、一方のコーナ型枠２０のみに横幅の広い横断壁を一体に設けてもよく、底板２４を埋め殺しにしない場合は、いずれか一方の側板２３と底板２４とを一体構造としてもよく、或いは、コーナ型枠２０と側板２３とを一体構造とする等の変更は自由に行える。また、上記実施の形態では各型枠を鋼製とし、これにより、施工後の基礎の表面形状を安定化させることができる利点があるが、各型枠を鋼製とすることは必須ではない。
【００３３】
【発明の効果】
本発明の請求項１の基礎の施工方法は、地中深くまで延びる深基礎の内側面側に、該深基礎より浅い位置まで延び下端部にフーチングが設けられてなる間仕切り基礎を、その一端側に下垂して設けられたコーナ連結部を介して接合する基礎の施工方法において、地盤に凹部を形成して該凹部内に上記深基礎用の型枠を設置する一方、上記凹部より屋内側の浅い地盤上に上記間仕切り基礎のフーチング用の型枠を設置し、上記コーナ連結部用のコーナ型枠を上記深基礎用の型枠の屋内側に接続するとともに、上方が開いた断面コ字型の架設用型枠をその一端を上記コーナ型枠に他端を上記間仕切り基礎のフーチング用の型枠にそれぞれ接続することで上記凹部上に架設し、上記コーナ型枠、上記架設用型枠、及び上記間仕切り基礎のフーチング用の型枠の上に上記間仕切り基礎用の型枠を設置した後、上記各型枠内にコンクリートを打設するようにしたので、上記基礎の施工前または施工後に、上記深基礎用の型枠より内側の凹部内で、間仕切り基礎の一方側から他方側へ移動する場合、上記架設用型枠または施工済の間仕切り基礎の下方の空間を通り抜けて移動することができ、作業者の移動が容易になる利点がある。
【００３４】
また、上記凹部上に架設状態で設けられる上記架設用型枠は、上方が開いた断面コ字型の形状なので、基礎の施工に際して流し込まれるコンクリートが架設用型枠の底部によって受けられ、基礎の施工は円滑に行われる。
【００３５】
更に、上記架設用型枠を上記凹部上に架設状態で設けており、各型枠内にコンクリートを打設して基礎を施工する段階では、上記凹部の埋め戻しは行わないので、従来のように、深基礎用の型枠に埋め戻し土の土圧が作用することがなく、従って、本発明では深基礎用の型枠の設置も容易に行える。
【００３６】
請求項２の基礎の施工方法は、請求項１の方法において、上記凹部の底部から支持棒を立設し、該支持棒で上記架設用型枠を下方から支持するようにしたものであるから、上記架設用型枠にコンクリートが流し込まれた後、コンクリートが凝固するまでの間、上記架設用型枠が上記支持棒を介して地盤により安定的に支持され、基礎の施工の信頼性が向上する利点がある。
【図面の簡単な説明】
【図１】本発明の実施の形態における基礎構造を示す斜視図。
【図２】上記基礎を施工するための型枠構造を示す概略側面図。
【図３】上記型枠中の間仕切り基礎通り抜け用型枠の組立状態を示す斜視図。
【図４】上記間仕切り基礎通り抜け用型枠におけるコーナ型枠を示す斜視図。
【図５】上記間仕切り基礎通り抜け用型枠における側板を示す斜視図。
【図６】上記間仕切り基礎通り抜け用型枠における底板及び支持棒を示す分解斜視図。
【図７】従来の基礎構造を示す斜視図。
【図８】従来の型枠構造を示す概略側面図。
【符号の説明】
１  深基礎
２  間仕切り基礎
３  凹部
４  鋼製型枠（深基礎用の型枠）
１７  鋼製型枠（間仕切り基礎用の型枠）
１７ａ  接合部近傍
２４  底板
２５  支持棒
【図１】
0003656873.tif 000002
【図２】
0003656873.tif 000003
【図３】
0003656873.tif 000004
【図４】
0003656873.tif 000005
【図５】
0003656873.tif 000006
【図６】
0003656873.tif 000007
【図７】
0003656873.tif 000008
【図８】
0003656873.tif 000009